(57)【要約】【課題】学校等の教育機関や関連施設、一般企業、ショールーム、イベント会場、あるいは、大空間施設等においてインタラクティブ環境を、既設の黒板やホワイトボード等の壁面固定型ボード等に何ら手を加えずに、簡単、迅速且つ低コストにて構築することができるインタラクティブ環境構築方法を提供することを課題とする。【解決手段】プロジェクター機能と共にインタラクティブ機能を搭載した複合プロジェクター８を、ホワイトボード５、６その他の投影可能なボード、あるいは、壁面７のある場所の周壁又は天面に配置したガイドレール９に沿って、自動的に又は人的操作によって移動可能に設置する。【選択図】図１
2011170279.tif 000002
【特許請求の範囲】
【請求項１】
プロジェクター機能と共にインタラクティブ機能を備えた複合プロジェクターを、任意の投影可能面に向くように設置することを特徴とするインタラクティブ環境構築方法。
【請求項２】
前記複合プロジェクターは、インタラクティブ機能を内蔵したものである、請求項１に記載のインタラクティブ環境構築方法。
【請求項３】
前記複合プロジェクターは、インタラクティブユニットを外付けしたものである、請求項１に記載のインタラクティブ環境構築方法。
【請求項４】
前記投影可能面は、少なくともホワイトボード、黒板その他の壁面固定型又は移動式のボード、スクリーン、壁面、床面、天井面、ドア・窓その他の建具、家具、布面、フィルム面、紙面、及び、水面を含む、請求項１乃至３のいずれかに記載のインタラクティブ環境構築方法。
【請求項５】
前記複合プロジェクターは、前記投影可能面近傍に配置したガイドレールに沿って移動可能にする、請求項１乃至４のいずれかに記載のインタラクティブ環境構築方法。
【請求項６】
前記ガイドレールは、前記投影可能面自体又はその近傍に一次元的に、二次元的に又は三次元的に配置する、請求項５に記載のインタラクティブ環境構築方法。
【請求項７】
前記ガイドレールは、全体的又は部分的に湾曲形状部を含む、請求項５又は６に記載のインタラクティブ環境構築方法。
【請求項８】
前記ガイドレールは、一部に捻り形状部を含む、請求項５乃至７のいずれかに記載のインタラクティブ環境構築方法。
【請求項９】
前記複合プロジェクターは、前記ガイドレールに沿って自動的に移動可能にされる、請求項５乃至８のいずれかに記載のインタラクティブ環境構築方法。
【請求項１０】
前記ガイドレールは、下辺に歯を有するラックと、前記ラックの下側に平行に配置される受け材とで構成され、前記複合プロジェクターは自走部を介して前記ガイドレールに取り付けられ、
前記自走部は、基板と、基板の一方の側面に設置される正反回転駆動用モータと、前記基板の他方の側面から突出する前記駆動用モータの出力軸に固定されて、前記ラックに噛合するピニオンを含み、更に、走行を支持するために、前記基板の下部に設置されていて前記受け材の正面に当接して転動する１又は複数の下部水平回転ローラーと、前記基板の上部に設置されていて前記ラックの背面に当接して転動する１又は複数の上部水平回転ローラーと、前記基板の上部に設置されていて前記ラックの上面に当接して回転する１又は複数の垂直回転ローラーとを含んで構成される、請求項９に記載のインタラクティブ環境構築方法。
【請求項１１】
前記投影可能面として、前記複合プロジェクターと共に移動する面を含む、請求項５に記載のインタラクティブ環境構築方法。
【請求項１２】
前記ガイドレールは、スライドコンセント機能を有するものとされる、請求項５に記載のインタラクティブ環境構築方法。
【請求項１３】
プロジェクターをガイドレールに沿って自走させるための支持装置であって、
前記ガイドレールは、下辺に歯を有するラックと、前記ラックの下側に平行に配置される受け材とで構成され、前記複合プロジェクターは自走部を介して前記ガイドレールに取り付けられ、
前記自走部は、基板と、基板の一方の側面に設置される正反回転駆動用モータと、前記基板の他方の側面から突出する前記駆動用モータの出力軸に固定されて、前記ラックに噛合するピニオンを含み、更に、走行を支持するために、前記基板の下部に設置されていて前記受け材の正面に当接して転動する１又は複数の下部水平回転ローラーと、前記基板の上部に設置されていて前記ラックの背面に当接して転動する１又は複数の上部水平回転ローラーと、前記基板の上部に設置されていて前記ラックの上面に当接して回転する１又は複数の垂直回転ローラーとを含んで構成されることを特徴とするプロジェクター自走支持装置。
【発明の詳細な説明】
【技術分野】
【０００１】
本発明はインタラクティブ環境構築方法及びそれに用いるプロジェクター自走支持装置に関するものであり、より詳細には、パソコン画面等を投影したり、専用の電子ペンや指等を用いて電子ボードとして活用したりすることができるインタラクティブ環境を、簡単、迅速且つ低コストにて構築することができ、学校等の教育機関や関連施設、一般企業、ショールーム、イベント会場、あるいは、大空間施設等において実施するのに好適な、インタラクティブ環境構築方法及びそれに用いるプロジェクター自走支持装置に関するものである。
【背景技術】
【０００２】
情報化社会の発展進化に伴い、学校等の教育現場や企業の研修室等においては、チョークを用いる黒板や、マーカーを用いる白板（ホワイトボード）等による旧来の表現形態から、プロジェクターを用いての投影、パソコンを付設してのパソコン画面の表示、電子ペンや指等を用いての電子ボードへの書き込み等の表現方式による、ＩＴを駆使しての、所謂インタラクティブ環境の構築が強く求められるようになってきている。
【０００３】
このインタラクティブ環境の構築に当たっては、電子ボード、即ち、パソコンやＤＶＤ等の映像を表示するための薄型テレビ形式のディスプレーや、プロジェクター投影用スクリーンを兼ねたホワイトボード等を含む、所謂インタラクティブボードと称されるタイプの電子ボードを用意する必要がある。
【０００４】
しかし、このインタラクティブボードを設置するためには、その機器自体のコストと共に設置工事のためのコストがかかり、また、多くの場合、その設置場所には、既に旧来の黒板やホワイトボードが据え付けられているので、設置場所にも制限が伴う。
【０００５】
一方において、インタラクティブボードと共に、既設の黒板やホワイトボード（壁面固定型のみならず移動式のものも含む）をそのまま使用したいとの要請も少なくない。その場合、インタラクティブボードや映写用スクリーンをその都度配備することは、手間がかかって面倒なだけでなく、スペース的に制約を受けることもある。更に、投影用のインタラクティブボードやスクリーンと筆記用の黒板やホワイトボードが離れていると、インタラクティブボードやスクリーンにおける映写事項と黒板やホワイトボードにおける筆記事項との対比参照等に不便を感じることになる。
【０００６】
そこで、予め黒板やホワイトボード等の壁面固定型ボードに、インタラクティブボードの機能を付加することが考えられている。例えば、特許文献１乃至３においては、既設の壁面固定型ボードの上下枠の正面又は上枠背面に沿ってレールを配設し、電子ボードやスクリーン等の機能を有するボードを当該レールに沿ってスライド可能に設置することにより、電子ボードやスクリーン等の機能を付加することが提案されている。
【０００７】
しかし、このような方法で施工する場合、壁面固定型ボードが既設の場合には、その施工や修理等に際してその都度ボード自体、あるいは、レールを取り外さなければならない煩わしさがあり、修理工事に手間とコストとがかかり、また、既設の壁面固定型ボードがＵＤ式、上げ下げ式又は引き分け式の場合、あるいは、曲面式又は半曲面式の場合には施工し得ない場合が多いといった問題がある。
【先行技術文献】
【特許文献】
【０００８】
【特許文献１】特開２００９−１１３４４６号公報
【特許文献２】特開２００９−１１３４４９号公報
【特許文献３】特開２００９−１１９６６３号公報
【発明の概要】
【発明が解決しようとする課題】
【０００９】
本発明は、パソコン画面等を投影したり、専用の電子ペンを用いて電子ボードとして活用したりすることができるインタラクティブ環境を、既設の黒板やホワイトボード等の壁面固定型ボード等に何ら手を加えずに、簡単、迅速に、しかも低コストにて構築することができ、既設の黒板やホワイトボード等は従来通りに使用可能に保持しつつ、学校等の教育機関や関連施設、あるいは、一般企業等においてインタラクティブ環境を構築することができるインタラクティブ環境構築方法を提供することを課題とする。
【００１０】
本発明はまた、上記インタラクティブ環境構築方法を実施するために用いるのに好適なプロジェクター自走支持装置を提供することを課題とする。
【課題を解決するための手段】
【００１１】
上記課題を解決するための請求項１に記載の発明は、プロジェクター機能と共にインタラクティブ機能を備えた複合プロジェクターを、任意の投影可能面に向くように設置することを特徴とするインタラクティブ環境構築方法である。前記複合プロジェクターは、インタラクティブ機能を内蔵したものであり、あるいは、インタラクティブユニットを外付けしたものである。
【００１２】
前記投影可能面は、少なくともホワイトボード、黒板その他の壁面固定型又は移動式のボード、スクリーン、壁面、床面、天井面、ドア、窓、その他の建具、家具、布面、フィルム面、紙面、及び、水面を含み、更に、一実施形態においては、前記複合プロジェクターと共に移動する面を含む。
【００１３】
好ましくは、前記複合プロジェクターは、前記投影可能面近傍に配置したガイドレールに沿って移動可能にし、前記ガイドレールは、前記投影可能面自体又はその近傍に一次元的に、二次元的に又は三次元的に配置する。前記ガイドレールは、全体的又は部分的に湾曲形状部を含むことがあり、また、一部に捻り形状部を含むことがある。更に、前記ガイドレールは、スライドコンセント機能を有するものとされることがある。
【００１４】
好ましい実施形態においては、前記複合プロジェクターは、前記ガイドレールに沿って自動的に移動可能にされる。そのために、前記ガイドレールは、下辺に歯を有するラックと、前記ラックの下側に平行に配置される受け材とで構成され、前記複合プロジェクターは自走部を介して前記ガイドレールに取り付けられ、前記自走部は、基板と、基板の一方の側面に設置される正反回転駆動用モータと、前記基板の他方の側面から突出する前記駆動用モータの出力軸に固定されて、前記ラックに噛合するピニオンを含み、更に、走行を支持するために、前記基板の下部に設置されていて前記受け材の正面に当接して転動する１又は複数の下部水平回転ローラーと、前記基板の上部に設置されていて前記ラックの背面に当接して転動する１又は複数の上部水平回転ローラーと、前記基板の上部に設置されていて前記ラックの上面に当接して回転する１又は複数の垂直回転ローラーとを含んで構成される装置を採用することが推奨される。
【００１５】
上記課題を解決するための請求項１１に記載の発明は、プロジェクターをガイドレールに沿って自走させるための支持装置であって、前記ガイドレールは、下辺に歯を有するラックと、前記ラックの下側に平行に配置される受け材とで構成され、前記複合プロジェクターは自走部を介して前記ガイドレールに取り付けられ、前記自走部は、基板と、基板の一方の側面に設置される正反回転駆動用モータと、前記基板の他方の側面から突出する前記駆動用モータの出力軸に固定されて、前記ラックに噛合するピニオンを含み、更に、走行を支持するために、前記基板の下部に設置されていて前記受け材の正面に当接して転動する１又は複数の下部水平回転ローラーと、前記基板の上部に設置されていて前記ラックの背面に当接して転動する１又は複数の上部水平回転ローラーと、前記基板の上部に設置されていて前記ラックの上面に当接して回転する１又は複数の垂直回転ローラーとを含んで構成されることを特徴とするプロジェクター自走支持装置である。
【発明の効果】
【００１６】
本発明は上記のとおりであって、プロジェクター機能と共にインタラクティブ機能を搭載した複合プロジェクターを、学校等の教育機関や関連施設の教室や講義室、一般企業における会議室やショールーム、町内会等の集会場、イベント会場、あるいは、大空間施設等において、ホワイトボードや黒板、あるいは、壁面、床面、天面その他の投影可能対象に向けて設置するというものであるので、既存のホワイトボードや黒板、あるいは、壁面等をそのままインタラクティブボードとして利用して、パソコン画面等を投影したり、専用の電子ペンを用いて電子ボードとして活用したりすることができるインタラクティブ環境を、簡単、迅速且つ低コストにて構築し得る効果がある。
【００１７】
また、複合プロジェクターをガイドレールに沿って移動可能にすることで、広い教室や大空間施設等において、複合プロジェクターを、例えば、正面のホワイトボードや黒板に対する投影位置から、側面並びに後面の白壁やホワイトボードに対する投影位置へと移動させて、後席側の生徒や参加者等の便を図る等の使用法が可能となり、更に、本発明に係る方法においては、インタラクティブ環境構築工事を、特に既設の黒板やホワイトボード等の壁面固定型ボードにおいて、何ら手を加えずに、簡単、迅速且つ低コストにて構築することができ、しかも、既設の黒板やホワイトボード等は従来通りに使用可能となし得る効果がある。
【図面の簡単な説明】
【００１８】
【図１】本発明に係るインタラクティブ環境構築方法の一実施形態を説明するための平面図である。
【図２】本発明に係るインタラクティブ環境構築方法を実施するために用いられる自走手段を示す斜視図である。
【図３】図２に示す自走手段の要部を示す側面図である。
【図４】本発明に係るインタラクティブ環境構築方法の他の実施形態を説明するための斜視図である。
【図５】本発明に係るインタラクティブ環境構築方法の更に他の実施形態を説明するための正面図である。
【発明を実施するための形態】
【００１９】
以下に、本発明を実施するための形態について説明する。本発明に係るインタラクティブ環境構築方法は、プロジェクター機能と共にインタラクティブ機能を搭載した複合プロジェクターを、ホワイトボード、黒板その他の壁面固定型又は移動式のボード、スクリーン、壁面、床面、天井面、ドア、窓、その他の建具、家具、更には布面、フィルム面、紙面、あるいは、水面その他の投影可能面に向けて設置するというものである。好ましくは、複合プロジェクターは移動可能に設置され、その場合の投影対象としては、上記したものの他に更に、複合プロジェクターと共に移動可能にした面を含む。
【００２０】
添付の図面は、本発明に係る方法の実施形態を示すもので、図１に示す例は、本発明に係る方法を学校の教室１に実施したものである。図中２は廊下、３は前側ドア、４は後ろ側ドアを示し、また、５は前側ホワイトボード（又は黒板）、６は後ろ側ホワイトボード（又は黒板）を示し、７は壁面の投影面（単なる壁面で、区画されている訳ではない。）を示している。
【００２１】
本発明において用いる複合プロジェクター８は、一般的なプロジェクター機能と共に、インタラクティブ機能を内蔵し、あるいは、インタラクティブユニットを外付けすることにより、インタラクティブ機能を具備させたものである。ここにインタラクティブ機能とは、それ専用の電子マーカーペンや指等を用いてプロジェクター投影面に筆記すると、その筆記文字や絵が、インタラクティブ機能部を介し、電子データとしてリアルタイムにパソコンに転送・記憶されて電子データとしての利用を可能にする機能や、投影面上においてパソコンの操作を可能にする機能等を総称するものである。
【００２２】
このように複合プロジェクター８は、投影面側に何らインタラクティブボードとしての機能が備わっていなくても、当該投影面をインタラクティブボードとして使用することを可能にするものであるので、その投影対象は、単に一定の面積のある面であれば足りる。従って、その投影面は、上述したように、ホワイトボードや黒板のようなボードの場合はもちろん、単なる壁面や床面、天井面、ドア・窓その他の建具、家具、更には布面、フィルム面、紙面、あるいは、水面であってもよいのである。また、後述する実施形態においては、複合プロジェクター８と共に移動する面が含まれる。
【００２３】
複合プロジェクター８は、例えば、教室１内の周壁又は天面に移動可能に設置される。そのために複合プロジェクター８は、教室１内の周壁又は天面に配置されるガイドレール９に沿って移動可能に設置される。ガイドレール９は、ホワイトボード５、６等の投影可能面自体に、あるいは、その近傍に一次元的に、二次元的に又は三次元的に配置される。そのためにガイドレール９は、全体的又は部分的に湾曲形状部を含むことがあり、また、一部に捻り形状部を含むことがある。
【００２４】
図１に示す例では、ガイドレール９は、天井の前面側から廊下側の側辺を通って後面側に延びるようにＵ字形（二次元的形状）に配置されているが、Ｌ字形（二次元的形状）にされ、あるいは、単なるＩ字形（一次元的形状）にされることもある。また、上記二次元的形状にしたガイドレール９の端部を床面に向けて延長することとすれば、三次元的形状ということになる。ガイドレール９は、必ずしも連続している必要はなく、断続したものであっても差し支えない。その場合複合プロジェクター８は、複数台用いられることになる。
【００２５】
なお、図では、便宜上ガイドレール９は教室１の床面に存在しているかのように表わされているが、実際にはその場合のガイドレール９は、天井に配置されているものと理解されたい。また、図中複合プロジェクター８は、移動位置を示すために３台記載されているが、必ずしも３台用いるという趣旨ではない。
【００２６】
また、ガイドレール９を周壁に固定し、あるいは、周壁に沿って設置する場合は、ガイドレール９は、例えば、正面の前側ホワイトボード（又は黒板）５の上側から、廊下側の壁面７を経て後ろ側ホワイトボード（又は黒板）６の上側に至るようにＵ字形に配置し、あるいは、正面の前側ホワイトボード（又は黒板）５の上側から、廊下側の壁面に至るＬ字形に配置し、あるいは、前側ホワイトボード（又は黒板）５、後ろ側ホワイトボード（又は黒板）６又は廊下側壁面７にそれぞれＩ字形（直線状）に配置する。
【００２７】
図示してないが、ガイドレール９は、１教室内だけでなく、隣の教室にまで延びるように配設することもでき、１台の複合プロジェクター８を複数の教室で利用できるようにすることもできる。
【００２８】
複合プロジェクター８への電源供給のためのコード（通例カールコード）は、ガイドレール９内に収めたり、ランナーを介してガイドレール９に吊下したりするが、ガイドレール９にスライドコンセント機能を持たせることにより、当該コード類を省略することもできる。
【００２９】
好ましくは複合プロジェクター８はガイドレール９に沿って移動自在にされるが、その場合は複合プロジェクター８に、ガイドレール９に対応するレール係動手段が取り付けられる。このレール係動手段は、例えば、断面角Ｃ字型としたガイドレール６の内側面に当接して回転するホイールとされる。もちろん、ガイドレール９とこれに対するレール係動手段の組合わせは他にも種々考えられ、そのうちの任意の構成を採用し得る。そして、複合プロジェクター８のガイドレール９に沿っての移動は、自動的に又は人的操作によって行うようにすることができる。
【００３０】
図２及び図３に示す例は、複合プロジェクター８を周壁等の投影対象面に沿って横方向に、あるいは、縦方向（周壁から天井面に向けて、あるいは、床面に向けて）に自動走行させるものである。この場合ガイドレール９は周壁等に固定され、あるいは、周壁等に近接状態に配置されるが、図示した例は後者に関するもので、複合プロジェクター８は、自走支持装置によって自走可能に支持されている。
【００３１】
そこにおけるガイドレール９は、複数本のポール状支持スタンド１０の上端部に固定されて支持される、下辺に歯を有するラック１１と、ラック１１の下側に平行に配置される受け材１２とで構成されている。
【００３２】
複合プロジェクター８は、ガイドレール９に組付けられる自走部１３から延びるプロジェクターアーム１４の先端に取り付けられる。複合プロジェクター８から延びる配線は、このプロジェクターアーム１４内に通される。プロジェクターアーム１４は、その下端部に、基板１５の上端部に水平に設けた支持板２１に固定された受けパイプ２２が挿入されることにより、回動自在に支持される。
【００３３】
自走部１３は、基板１５と、基板１５の一方の側面に設置される正反回転駆動用モータ１６と、基板１５の他方の側面から突出する駆動用モータ１６の出力軸に固定されて、ラック１１に噛合するピニオン１７から成り、更に、走行を支持するために、基板１５の下部に設置されていて、受け材１２の正面に当接して転動する１又は複数の下部水平回転ローラー１８と、基板１５の上部に設置されていて、ラック１１の背面に当接して転動する１又は複数の上部水平回転ローラー１９と、基板１５の上部に設置されていて、ラック１１の上面に当接して回転する１又は複数の垂直回転ローラー２０とを含んで構成される。
【００３４】
下部水平回転ローラー１８は、基板１５の下部に固定されるアングル材２３の水平部において軸支され、上部水平回転ローラー１９は、基板１５の上部に固定されるアングル材２４の水平部において軸支され、垂直回転ローラー２０は、アングル材２４の垂直部において軸支される。
【００３５】
また、基板１５に制御盤設置台２５が取り付けられ、そこに制御盤２６が配置される。駆動用モータ１６としては、交流式と直流式のいずれも利用可能であり、制御盤２６内に電池やＡＣアダプタ等の対応機器が内蔵される。また、好ましい実施形態においては、制御盤２６内に、操作者が手にするリモコンからの指示信号を受信する受信センサ３１が配備される。
【００３６】
好ましい実施形態においては、制御盤２６から出る配線２７を蛇腹状に吊下する手段が配備される。即ち、受け材１２の下縁に沿ってランナーレール２８が設置され、このランナーレール２８に、それに移動自在に係合するリング付きランナー２９が多数配備される。そして、配線２７を各リング付きランナー２９のリング３０に通すことにより、配線２７が適宜間隔置きに吊下されて、適宜蛇腹状に伸縮可能となる。かくして、自走部１３の移動に際し、配線２７が絡んだり邪魔になったりすることが防止されると共に、見た目が悪くなることが防止される。
【００３７】
上記構成において、自走部１３を動作させることにより複合プロジェクター８を移動させる場合は、例えばリモコン操作により、制御盤２６の受信センサ３１を介して駆動モータ１６を正回転させる。それによりピニオン１７が回転駆動され、その回転駆動力がラック１１に作用するが、ラック１１は移動しないために、ピニオン１７がラック１１に沿って移動することになる。
【００３８】
この移動動作に際し、自走部１３の荷重は、垂直回転ローラー２０がラック１１の上面に乗って回転することにより受け、また、自走部１３の傾倒は、下部水平回転ローラー１８が受け材１２の正面に当接して転動すると共に、上部水平回転ローラー１９がラック１１の背面に当接して転動することにより防止される。即ち、自走部１３に係る複合プロジェクター８等の荷重は、垂直回転ローラー２０からラック１１の上面にかかる力と、上部水平回転ローラー１９からラック１１の背面にかかる力と、下部水平回転ローラー１８から受け材１２の正面にかかる力のバランスによって支持される。
【００３９】
そして、複合プロジェクター８が所望位置に来たところで、駆動モータ１６の動作を停止させればよい。また、駆動モータ１６を反回転させることにより、自走部３を反対方向に移動させることができる。
【００４０】
上述した例は、複合プロジェクター８の投影対象を、既設の黒板やホワイトボード等の壁面固定型ボード、あるいは、壁面や天井面とすることを想定したもので、その場合は既設のホワイトボードや黒板等に何ら手を加えずに、それらのボードや壁面をそのままインタラクティブボードとして活用してのインタラクティブ環境を、簡単、迅速且つ低コストにて構築することが可能である。
【００４１】
そして、複合プロジェクター８はガイドレール９に沿って任意の位置に移動可能であるため、広い教室等においては、正面のホワイトボードや黒板に対する投影位置から、側面並びに後面の白壁やホワイトボード、あるいは、天井面に対する投影位置へと移動させて後席側等の生徒の便を図ることができ、また、投影面と筆記面とを近接させての使用が可能となる利便性があり、しかも、既設の黒板やホワイトボード等は、そのまま従来通りに使用できるという効用がある。
【００４２】
そして、上述したように、上記ラック１１と受け板１２とから成るガイドレール９は、必ずしも直線であるとは限らず、全体的又は部分的に湾曲する形状としたり、途中で捻った形状としたりすることができる。従って、例えばガイドレール９は、床から上方に延ばし、壁面上部において湾曲させて横方向に延ばし、更に途中で捻って天井に沿わせる、といった二次元的並びに三次元的レイアウトが可能であり、その適用範囲は非常に広いものとなる。また、ガイドレール９に長さの限定はないので、複数室に渡って配設したりすることもできる。
【００４３】
なお、図２、３に示したガイドレール９及び自走手段は、プロジェクターが上記複合プロジェクター８である場合に限らず、他の種類のプロジェクターについても適用可能であることは言うまでもない。
【００４４】
更に、複合プロジェクター８を移動可能にする場合の投影対象面は、上記ホワイトボード、黒板その他の壁面固定型又は移動式のボード、スクリーン、壁面、床面、天井面、ドア、窓、その他の建具、家具、布面、フィルム面、紙面、及び、水面の他に、複合プロジェクター８と共に移動可能に設置された移動投影面４４を含む（図４参照）。この移動投影面４４としては、巻き上げ式のロールスクリーンや、ホワイトボード等が用いられ、その上部が基板１５に固定される。
【００４５】
本発明に係る方法は、上述した壁面固定型ボードについてだけではなく、既存の移動式ボードについても適用可能である。即ち、移動式ボードは、黒板やホワイトボード等のボードを、通例、キャスターを備えたスタンドで支持して成るものであるが、この場合は、投影対象となるボード面４１の上辺４２の任意の位置に、複合プロジェクター８を取り付ければよい（図５参照）。
【００４６】
そして、ボード面４１の上辺４２に取り付けられる複合プロジェクター８を移動可能にする場合は、上記実施形態に準じて、上辺４２、あるいは、上辺４２から側辺にかけてガイドレール９を設置し、複合プロジェクター８の適宜位置に、ガイドレール９に対する係動手段を備え付ければよい。
【００４７】
この移動式ボードの場合、ボードの両面使用が可能な場合がある。その場合は、プロジェクターアームを回転させることで、複合プロジェクター８をボードの反対面に向けることにより、反対面をインタラクティブボードとして使用することが可能となる。
【００４８】
また、以上いずれの実施形態においても、プロジェクター投影面に投影された教育用ソフトやパソコンで作成した資料に対し、離れた位置から、レーザー光方式のマウス機能付きポインタやペンを用いて直接書き込んだり、保存したり、データを呼び出したりする操作を行うようにすることもできる。
【００４９】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００５０】
１      教室
２      廊下
３      前側ドア
４      後ろ側ドア
５      前側ホワイトボード
６      後ろ側ホワイトボード
７      壁面
８      複合プロジェクター
９      ガイドレール
１０    支持スタンド
１１    ラック
１２    受け材
１３    自走部
１４    プロジェクターアーム
１５    基板
１６    駆動用モータ
１７    ピニオン
１８    下部水平回転ローラー
１９    上部水平回転ローラー
２０    垂直回転ローラー
４１    ボード面
４２    上辺
４４    移動投影面
【図１】
2011170279.tif 000003
【図２】
2011170279.tif 000004
【図３】
2011170279.tif 000005
【図４】
2011170279.tif 000006
【図５】
2011170279.tif 000007